(57)【特許請求の範囲】
【請求項１】
液体を循環させて暖房装置に供給する暖房用液体循環通路と、浴槽に接続される追い焚き循環通路とを有して、該追い焚き循環通路は熱交換手段を介して前記暖房用液体循環通路に熱的に接続され、該暖房用液体循環通路には、該暖房用液体循環通路の液体を循環させる液体循環ポンプと、該液体循環ポンプの駆動により循環する液体を加熱する暖房用熱交換器とが介設され、前記追い焚き循環通路には浴槽湯水を循環させる浴槽湯水循環ポンプが設けられ、浴槽湯水の追い焚き指令を受けて前記暖房用熱交換器により前記暖房用液体循環通路内の液体を加熱しながら循環させると共に前記追い焚き循環通路を通して浴槽湯水を循環させることによって、該浴槽湯水と前記暖房用液体循環通路を循環する液体とを前記熱交換手段を介して熱交換して浴槽湯水の追い焚きを行う機能を有する熱源装置であって、前記暖房用液体循環通路に通す液体を予め定められる高温設定温度として循環させる高温液体循環モードの機能と、前記暖房用液体循環通路に通す液体を前記高温設定温度よりも低い予め定められる低温設定温度として循環させる低温液体循環モードの機能とを有し、前記浴槽湯水の追い焚き時に入浴者がいるかどうかの判断を行う入浴者有無判断手段と、該入浴者有無判断手段によって入浴者がいると判断されたときに浴槽湯水の追い焚きが行われるときには前記高温液体循環モードで液体を循環させ、前記入浴者有無判断手段によって入浴者がいないと判断されたときに浴槽湯水の追い焚きが行われるときには前記低温液体循環モードで液体を循環させるようにモード切り替えを行う追い焚き時液体循環モード切り替え手段を有することを特徴とする熱源装置。
【請求項２】
浴槽湯水の水位を検出する水位センサと、該水位センサの検出水位に基づいて浴槽に人が入浴していることを検知する人入浴検知手段とを有し、入浴者有無判断手段は前記人入浴検知手段によって浴槽への人の入浴が検知されているときには入浴者がいると判断し、前記人入浴検知手段によって浴槽への人の入浴が検知されていないときには入浴者がいないと判断することを特徴とする請求項１記載の熱源装置。
【請求項３】
熱源装置には浴室配置のリモコン装置と台所配置のリモコン装置とが信号接続されており、入浴者有無判断手段は前記浴室配置のリモコン装置によって浴槽湯水の追い焚き指令が出されたときには入浴者がいると判断し、前記台所配置のリモコン装置によって浴槽湯水の追い焚き指令が出されたときには入浴者がいないと判断することを特徴とする請求項１または請求項２記載の熱源装置。
【請求項４】
浴槽湯水の温度を検出する浴槽湯水温検出手段を有し、追い焚き時液体循環モード切り替え手段は、低温液体循環モードで液体を循環させたときに前記浴槽湯水温検出手段による検出温度が予め定められる風呂設定温度よりも設定温度だけ低い設定接近温度未満であったときには高温液体循環モードに切り替えて液体を循環させ、前記浴槽湯水温検出手段による検出温度が前記設定接近温度に達するまで前記高温液体循環モードで液体を循環させた後に前記低温液体循環モードに切り替えて液体を循環させることを特徴とする請求項１または請求項２または請求項３記載の熱源装置。
【請求項５】
暖房用液体循環通路には予め定められる高温暖房設定温度の液体が供給される高温暖房装置が接続され、追い焚き時液体循環モード切り替え手段は、前記高温暖房装置の運転中には高温液体循環モードとして液体を循環させるようにすることを特徴とする請求項１乃至請求項４のいずれか一つに記載の熱源装置。
【発明の詳細な説明】
【技術分野】
【０００１】
本発明は、浴槽湯水の追い焚き循環路と暖房液体循環通路とを熱的に接続して形成される熱源装置に関するものである。
【背景技術】
【０００２】
例えば床暖房に用いる温水マット等の暖房装置に温水等の液体を循環させる循環通路と、浴槽湯水の追い焚き循環通路とを熱的に接続してなる熱源装置が用いられている（例えば、特許文献１、参照）。
【０００３】
図２には、本願発明者が開発中の熱源装置のシステム構成例が示されており、このシステム構成は、後述する実施例にも適用される。この熱源装置は、給湯機能と風呂の追い焚き機能と暖房機能とを備えており、熱源装置には、暖房装置１０（１０ａ〜１０ｃ）と浴槽２７とが熱的に接続されている。同図において、暖房装置１０（１０ａ〜１０ｃ）に液体（例えば温水）を循環させる暖房用液体循環通路５は、器具ケース４２内に設けられた管路８９，９０，９１，９２，９３，９４，９５，９６，９７，９８，９９と、器具ケース４２の外部に設けられた管路４０，４１，４４，４５，５９とを有している。
【０００４】
管路４０は管路９７に接続され、管路４１，４４は液体合流手段１１５と管路５９と介して管路９５に接続され、管路４５は液体分岐手段３７を介して管路９０に接続されている。管路４０，４１には、暖房装置１０ａの内部通路５１が接続され、管路４４，４５には、暖房装置１０ｂ，１０ｃの内部通路５２がそれぞれ接続されている。暖房装置１０ｂ，１０ｃは、例えば温水マット等の低温暖房装置であり、暖房装置１０ａは予め定められる高温暖房設定温度（例えば８０℃）の液体が供給される高温暖房装置であり、例えば浴室暖房機である。暖房装置１０ａには熱動弁１２が設けられている。なお、液体分岐手段３７と液体合流手段１１５には、必要に応じ、同図に示している他にも暖房装置を接続することができる。
【０００５】
暖房用液体循環通路５には、該暖房用液体循環通路５に液体を循環させる液体循環ポンプ６と、該液体循環ポンプ６の駆動により循環する液体を加熱する暖房用暖房熱用交換器２８（２８ａ，２８ｂ）が設けられている。暖房熱用交換器２８ａの液体導入側には管路９５が、液体導出側には管路９４がそれぞれ接続されており、暖房熱用交換器２８ｂの液体導入側には管路９１が、液体導出側には管路９２がそれぞれ接続されている。管路９２には、暖房高温サーミスタ３３が設けられており、暖房高温サーミスタ３３は、暖房熱用交換器２８ｂから出る液体の温度を検出する。
【０００６】
また、管路９１は、前記液体循環ポンプ６の吐出側に、管路９０と共に接続されており、管路９１には、暖房熱用交換器２８ｂに導入される液体の温度を検出する暖房低温サーミスタ３６が設けられている。また、液体循環ポンプ６の吸入口側には前記管路９３が接続されており、管路９３と管路９４との間にはシスターン装置１００が介設されている。シスターン装置１００のタンク容量は、例えば約１〜１．８リットルであり、シスターン装置１００は、大気導入通路５３を介して大気開放と成している。
【０００７】
暖房熱用交換器２８（２８ａ，２８ｂ）は、それぞれ、燃焼室２４内に設けられており、燃焼室２４には、暖房熱用交換器２８と共に、暖房熱用交換器２８を加熱するバーナ１６と、バーナ１６の燃焼の給排気を行なう燃焼ファン１８とが設けられている。また、燃焼室２４と連通して燃焼室２５が設けられ、燃焼室２５内には、バーナ１７と、バーナ１７により加熱される給湯熱交換器２９（２９ａ，２９ｂ）と、バーナ１７の燃焼の給排気を行なう燃焼ファン１９とが設けられている。
【０００８】
バーナ１６，１７には、それぞれのバーナ１６，１７に燃料を供給するガス管３１，３２が接続されている。これらのガス管３１，３２は、ガス管３０から分岐形成されており、ガス管３０には、ガス開閉弁８０が介設されている。また、ガス管３１には、ガス比例弁８６とガス開閉弁８１，８２が、ガス管３２には、ガス比例弁８７とガス開閉弁８３，８４，８５がそれぞれ介設されている。これらの弁８０〜８７はいずれも電磁弁により形成されており、ガス開閉弁８０〜８５は、対応するバーナ１６，１７への燃料供給・停止を制御し、ガス比例弁８６，８７は、対応するバーナ１６，１７への供給燃料量を弁開度でもって制御する。なお、バーナ１６，１７の燃焼制御は、図示されていない燃焼制御手段によって、適宜の制御方法により制御される。
【０００９】
前記給湯熱交換器２９ａの入口側には給水導入通路８８が設けられている。この給水導入通路８８は、接続通路５７と補給水電磁弁４６を介して、前記シスターン装置１００に接続され、前記暖房用液体循環通路５に接続されている。給水導入通路８８の入口側には、給水導入通路８８を流れる湯水の量を検出する流量センサ７３と入水温度を検出する入水温度センサ７４が設けられている。また、給湯熱交換器２９ｂの出口側には給湯通路２６が設けられており、給湯通路２６の先端側は、適宜の給湯先に導かれている。給湯通路２６には、分岐通路７０と湯水経路切替弁５８を介して前記給水導入通路８８が接続されており、給湯通路２６には、分岐通路７０の分岐部よりも下流側に出湯湯温検出センサ１１３が設けられ、給湯熱交換器２９側に出湯湯温検出センサ１１４が設けられている。
【００１０】
前記浴槽２７には、往管１４と戻り管１５を有する追い焚き循環通路１３が接続されており、この追い焚き循環通路１３は、熱交換手段としての液―液熱交換器７を介して、前記暖房用液体循環通路５と熱的に接続されている。なお、暖房用液体循環通路５の液―液熱交換器７を形成する管路８９には、液―液熱交換器７の入口に流量制御弁３８が設けられている。追い焚き循環通路１３には、浴槽湯水を循環させる浴槽湯水循環ポンプ２０が設けられ、液−液熱交換器７は、浴槽湯水循環ポンプ２０の駆動によって追い焚き循環路１３を循環する浴槽湯水を加熱する風呂熱交換器と成している。
【００１１】
また、追い焚き循環通路１３には、浴槽湯水の温度を検出する浴槽湯水温検出手段としての風呂温度センサ２１と、浴槽湯水の水位を検出する水位センサ２２と、追い焚き循環路１３の水流を検知する風呂水流スイッチ３４とが介設されている。浴槽湯水循環ポンプ２０の吸入口側に、戻り管１５の一端側が接続され、戻り管１５の他端側が循環金具５６を介して浴槽２７に連通接続されている。浴槽湯水循環ポンプ２０の吐出口側には、往管１４の一端側が接続され、往管１４の他端側は循環金具５６を介して浴槽２７に連通接続されている。
【００１２】
前記給湯通路２６には、分岐通路７０の形成部および出湯湯温検出センサ１１３の配設部よりも下流側に、管路５４を介して注湯水ユニット５５が接続されている。注湯水ユニット５５には風呂用注湯導入通路２３の一端側が接続され、風呂用注湯導入通路２３の他端側は、前記浴槽湯水循環ポンプ２０に接続されている。注湯水ユニット５５には、湯張り電磁弁４８、湯張り水量センサ４９、逆止弁５０ａ，５０ｂが設けられている。なお、給湯熱交換器２９から給湯通路２６と管路５４、注湯水ユニット５５、風呂用注湯導入通路２３、浴槽湯水循環ポンプ２０、液−液熱交換器７、往管１４を順に通って浴槽２７に至るまでの通路によって、湯張りや注水を行うための湯張り注水通路が構成されている。また、図２の、図中、符号７５、７７は、ドレン排出通路を示し、符号７６は、ドレンを中和する中和手段を示す。
【００１３】
この熱源装置において、暖房装置１０ａの暖房運転を行うときと浴槽湯水の追い焚き運転を行うときは、バーナ１６によって暖房用熱交換器２８を加熱して、暖房用液体循環通路５に通す液体の温度を予め定められる高温設定温度（例えば８０℃）とし、この液体を、液体循環ポンプ６の駆動により循環させる高温液体循環モードの機能の動作を行う。この高温気体循環モードの機能の動作時には、低温能力切替熱動弁４７は閉じた状態とし、以下に詳述するように、図２の矢印Ａ〜Ｆに示すように液体を循環させる。
【００１４】
例えば、暖房装置１０ａの暖房運転は、暖房装置１０ａの熱動弁１２を開いて行われるものであり、図の矢印Ｃに示すように、管路９５から暖房用熱交換器２８ａに導入されて暖房用熱交換器２８ａで加熱された液体を、矢印Ｄに示すように、シスターン装置１００に導入し、矢印Ｅに示すように、管路９３を通して液体循環ポンプ６に導入し、矢印Ｆに示すように、管路９１を通して暖房用熱交換器２８ｂに導入して加熱する。この加熱によって、液体の温度を例えば８０℃とし（暖房高温サーミスタ３３の検出温度が８０℃となるようにし）、矢印Ａ、Ｂに示すように、管路９２，９７，４０を順に通して、暖房装置１０ａに導入する。各暖房装置１０ａに導入された液体は、対応する管路４１，４４と液体合流手段１１５を通り、管路９５に戻る。
【００１５】
なお、この状態で、浴槽湯水の追い焚き運転を行うときは、流量制御弁３８を開くことにより、管路９２を通った液体を、図の矢印Ｂ’に示すように、管路８９側にも通し、管路８９側（液―液熱交換器７側）に流れた液体を、管路９６を通して管路９５に戻るようにしながら、浴槽湯水循環ポンプ２０を駆動させて、浴槽湯水を図の矢印Ｈに示すように循環させる。なお、前記流量制御弁３８の開動作は、浴槽湯水循環ポンプ２０を駆動させて、浴槽湯水を循環させてから行う。そして、この浴槽湯水と、暖房用液体循環通路５を通る高温設定温度（例えば８０℃）の液体とを、液―液熱交換器７を介して熱交換し、浴槽２７内の湯水の温度（風呂温度センサ２１の検出温度）が風呂設定温度となるまで、浴槽湯水の追い焚き運転を行う。
【００１６】
また、高温暖房装置１０ａの暖房運転を行わずに、浴槽湯水の追い焚き運転のみを行うときには、暖房装置１０ａの熱動弁１２が閉じられているので、暖房用熱交換器２８ｂで加熱した高温設定温度の液体（例えば８０℃の液体）を、矢印Ａに示すように、管路９２に通した後、管路９７には通さずに、図の矢印Ｂ’に示すように、管路８９側に通す。そして、前記と同様に、この液体と浴槽湯水とを、液―液熱交換器７を介して熱交換することにより浴槽２７内の湯水の追い焚き運転を行う。なお、風呂温度センサ２１の検出温度が風呂設定温度となったら、バーナ１６の燃焼を停止し、液体循環ポンプ６と浴槽湯水循環ポンプ２０は、予め定められたポストポンプ時間経過後に停止する。
【００１７】
一方、暖房装置１０ｂ，１０ｃの暖房運転を行うときには、暖房用液体循環通路５の液体を、暖房用液体循環通路５に通す液体を高温設定温度よりも低い予め定められる低温設定温度（例えば６０℃）として循環させる低温液体循環モードの機能の動作を行う。この低温液体循環モードの機能の動作時には、前記高温液体循環モードの機能の動作時と同様に、矢印Ｃ，Ｄ，Ｅ，Ｆに示すように循環させるが、バーナ１６によって暖房用熱交換器２８を加熱する際に、暖房用熱交換器２８ｂによって加熱して管路９２に導出する液体の温度を、例えば６０℃となるようにする。
【００１８】
そして、低温能力切替熱動弁４７を開くことによって、図の矢印Ａに示したように管路９２を通った液体を管路９３に導入し、シスターン１００側から液体循環ポンプ６側に向けて図の矢印Ｅに示すように通る液体と共に、液体循環ポンプ６を介し、図の破線矢印Ｇに示すように、液体を管路９０，４５に順に通して暖房装置１０ｂ，１０ｃに導入する。なお、暖房装置１０ｂ，１０ｃを通った液体は、管路４４、液体合流手段１１５を介して管路９５に戻る。
【００１９】
また、暖房装置１０ｂ，１０ｃの暖房運転中に、浴槽湯水の追い焚き指令が出力されたときには、低温能力切替熱動弁４７を閉じ（あるいは、開弁量を小さくし）、前記の追い焚き運転時と同様に、暖房用熱交換器２８ｂによって加熱して管路９２に導出される液体の温度を、例えば８０℃となるようにし、管路８９を通る液体の温度を８０℃程度として液体を循環させる（高温液体循環モードの機能の動作を行う）。
【００２０】
なお、この場合、低温能力切替熱動弁４７を閉じる（または、開弁量を小さくする）ことにより、暖房用熱交換器２８ｂから管路９２に導出される高温の液体は、管路９３には導入されない（または、少量しか導入されない）。そして、暖房装置１０ｂ，１０ｃには、前記管路８９を通って浴槽湯水と熱交換されて温度が低下した後、管路９６，９５、シスターン１００を通ることにより、さらに温度が低下した液体が、管路９３、液体循環ポンプ６、管路９０を通して導入されるので、暖房装置１０ｂ，２０ｃに導入される液体の温度は、６０℃程度となる。
【００２１】
また、この熱源装置において、浴槽２７への湯張り（自動湯張り動作）を行うときには、バーナ１７の燃焼によって給湯熱交換器２９を通る水を加熱し、前記湯張り注水通路を通して湯を浴槽２７に注ぐ。そして、この自動湯張り後、例えば４時間といった保温動作時間中には、風呂温度センサ２１の検出温度を取り込み、その検出温度が予め設定される風呂設定温度より予め定められている許容範囲を超えて低下したときには、前記の追い焚き運転の動作を例えば３分間行い、風呂温度センサ２１の検出温度が前記風呂設定温度となるようにする保温モードの機能の動作が行われる。
【先行技術文献】
【特許文献】
【００２２】
【特許文献１】特開平８―３５６５７号公報
【発明の概要】
【発明が解決しようとする課題】
【００２３】
ところで、浴槽湯水の追い焚きは、入浴中の人が、浴槽湯水温が「ぬるい」と感じてリモコン装置に設けられている追い焚きスイッチを操作することにより開始されることもあるが、前記保温モード機能の動作において、浴槽湯水温が許容範囲を超えて低くなったときにも開始されることもある。人が入浴中に「ぬるい」と感じて前記追い焚きスイッチを操作したときには、なるべく早く追い焚きを行って風呂設定温度にする必要があるが、前記保温モードの機能の動作において、人が入浴していない場合には、その追い焚きスピードは遅くてもよいはずである。
【００２４】
しかしながら、従来は、前記の如く、追い焚き時は必ず、液体循環通路５内の液体を８０℃に加熱して、迅速に追い焚きが行われるように追い焚き動作を行っており、このように、液体循環通路５内の液体を高温に加熱するためには多くのエネルギーが必要であるばかりではなく、放熱量も大きいため、無駄が多かった。
【００２５】
本発明は、上記課題を解決するためになされたものであり、その目的は、熱エネルギーを極力無駄にせずに、適切に、暖房用の液体循環通路との熱交換による風呂の追い焚き運転を行うことができる熱源装置を提供することにある。
【課題を解決するための手段】
【００２６】
本発明は上記目的を達成するために、次の構成をもって課題を解決する手段としている。すなわち、第１の発明は、液体を循環させて暖房装置に供給する暖房用液体循環通路と、浴槽に接続される追い焚き循環通路とを有して、該追い焚き循環通路は熱交換手段を介して前記暖房用液体循環通路に熱的に接続され、該暖房用液体循環通路には、該暖房用液体循環通路の液体を循環させる液体循環ポンプと、該液体循環ポンプの駆動により循環する液体を加熱する暖房用熱交換器とが介設され、前記追い焚き循環通路には浴槽湯水を循環させる浴槽湯水循環ポンプが設けられ、浴槽湯水の追い焚き指令を受けて前記暖房用熱交換器により前記暖房用液体循環通路内の液体を加熱しながら循環させると共に前記追い焚き循環通路を通して浴槽湯水を循環させることによって、該浴槽湯水と前記暖房用液体循環通路を循環する液体とを前記熱交換手段を介して熱交換して浴槽湯水の追い焚きを行う機能を有する熱源装置であって、前記暖房用液体循環通路に通す液体を予め定められる高温設定温度として循環させる高温液体循環モードの機能と、前記暖房用液体循環通路に通す液体を前記高温設定温度よりも低い予め定められる低温設定温度として循環させる低温液体循環モードの機能とを有し、前記浴槽湯水の追い焚き時に入浴者がいるかどうかの判断を行う入浴者有無判断手段と、該入浴者有無判断手段によって入浴者がいると判断されたときに浴槽湯水の追い焚きが行われるときには前記高温液体循環モードで液体を循環させ、前記入浴者有無判断手段によって入浴者がいないと判断されたときに浴槽湯水の追い焚きが行われるときには前記低温液体循環モードで液体を循環させるようにモード切り替えを行う追い焚き時液体循環モード切り替え手段を有する構成をもって課題を解決する手段としている。
【００２７】
また、第２の発明は、前記第１の発明の構成に加え、前記浴槽湯水の水位を検出する水位センサと、該水位センサの検出水位に基づいて浴槽に人が入浴していることを検知する人入浴検知手段とを有し、入浴者有無判断手段は前記人入浴検知手段によって浴槽への人の入浴が検知されているときには入浴者がいると判断し、前記人入浴検知手段によって浴槽への人の入浴が検知されていないときには入浴者がいないと判断することを特徴とする。
【００２８】
さらに、第３の発明は、前記第１または第２の発明の構成に加え、前記熱源装置には浴室配置のリモコン装置と台所配置のリモコン装置とが信号接続されており、入浴者有無判断手段は前記浴室配置のリモコン装置によって浴槽湯水の追い焚き指令が出されたときには入浴者がいると判断し、前記台所配置のリモコン装置によって浴槽湯水の追い焚き指令が出されたときには入浴者がいないと判断することを特徴とする。
【００２９】
さらに、第４の発明は、前記第１または第２または第３の発明の構成に加え、浴槽湯水の温度を検出する浴槽湯水温検出手段を有し、追い焚き時液体循環モード切り替え手段は、低温液体循環モードで液体を循環させたときに前記浴槽湯水温検出手段による検出温度が予め定められる風呂設定温度よりも設定温度だけ低い設定接近温度未満であったときには高温液体循環モードに切り替えて液体を循環させ、前記浴槽湯水温検出手段による検出温度が前記設定接近温度に達するまで前記高温液体循環モードで液体を循環させた後に前記低温液体循環モードに切り替えて液体を循環させることを特徴とする。
【００３０】
さらに、第５の発明は、前記第１乃至第４のいずれか一つの発明の構成に加え、前記暖房用液体循環通路には予め定められる高温暖房設定温度の液体が供給される高温暖房装置が接続され、追い焚き時液体循環モード切り替え手段は、前記高温暖房装置の運転中には高温液体循環モードとして液体を循環させるようにすることを特徴とする。
【発明の効果】
【００３１】
本発明によれば、暖房用液体循環通路に通す液体を予め定められる高温設定温度として循環させる高温液体循環モードの機能と、前記暖房用液体循環通路に通す液体を前記高温設定温度よりも低い予め定められる低温設定温度として循環させる低温液体循環モードの機能を有し、浴槽湯水の追い焚き時に入浴者がいると判断されたときに浴槽湯水の追い焚きが行われるときには前記高温液体循環モードで液体を循環させ、入浴者がいないと判断されたときに浴槽湯水の追い焚きが行われるときには前記低温液体循環モードで液体を循環させるようにモード切り替えを行うので、熱エネルギーを極力無駄にせずに、必要に応じて適切に、暖房用の液体循環通路との熱交換による風呂の追い焚き運転を行うことができる。
【００３２】
つまり、入浴者がいるときには、例えば人が入浴中に「ぬるい」と感じての操作によって、追い焚きが行われる可能性が高いので、高温液体循環モードで液体循環通路の液体を循環させて浴槽湯水の追い焚きを行うことにより、迅速な追い焚きができ、利用者の快適な利用を可能とすることができる。その一方、入浴者がいないと判断されるとき、例えば保温モードの機能の動作における追い焚き時などには、低温液体循環モードで液体循環通路の液体を循環させて浴槽湯水の追い焚きを行うことにより、ゆっくりと追い焚きを行うことにより、少ない熱エネルギーでの追い焚きを可能とし、かつ、放熱による熱エネルギーの損失も少なく抑えることができるので、熱エネルギーの無駄を省くことができる。
【００３３】
また、浴槽湯水の水位を検出する水位センサの検出水位に基づき、浴槽に人が入浴していることを検知しているときには入浴者がいると判断し、浴槽に人が入浴していることの検知が行われていないときには入浴者がいないと判断するようにすることにより、浴槽への人の入浴を的確に判断でき、前記のように、熱エネルギーを極力無駄にせずに、必要に応じて適切に、暖房用の液体循環通路との熱交換による風呂の追い焚き運転を行うことができる。
【００３４】
さらに、熱源装置に信号接続された浴室配置のリモコン装置と台所配置のリモコン装置のうち、浴室配置のリモコン装置によって浴槽湯水の追い焚き指令が出されたときには入浴者がいると判断し、前記台所配置のリモコン装置によって浴槽湯水の追い焚き指令が出されたときには入浴者がいないと判断することにより、浴槽への人の入浴を的確に判断でき、前記のように、熱エネルギーを極力無駄にせずに、必要に応じて適切に、暖房用の液体循環通路との熱交換による風呂の追い焚き運転を行うことができる。
【００３５】
つまり、風呂リモコン装置の操作によって追い焚き操作を行うときには、利用者は浴室で追い焚き操作を行っているので、入浴中または、操作後、時間をおかずに入浴する可能性が高く、このときに高温液体循環モードとすることにより迅速な追い焚きによる快適な利用ができる。一方、台所リモコン装置の操作によって追い焚き操作を行うときには、利用者は浴室にはいないので、操作後、ある程度の時間がたってから入浴する可能性が高く、この場合は低温液体循環モードでゆっくりと追い焚きを行うことにより熱エネルギーの無駄を省くことができる。
【００３６】
さらに、浴槽湯水の追い焚き時に、低温液体循環モードで液体を循環させたときに、浴槽湯水温検出手段による浴槽湯水の検出温度が予め定められる風呂設定温度よりも設定温度だけ低い設定接近温度未満であったときには高温液体循環モードに切り替えて液体を循環させ、前記浴槽湯水温検出手段による検出温度が前記設定接近温度に達するまで前記高温液体循環モードで液体を循環させた後に前記低温液体循環モードに切り替えて液体を循環させることにより、以下の効果を奏することができる。
【００３７】
例えば利用者が台所リモコン装置を操作して少し立ってから入浴しようとした際、台所リモコン装置から追い焚き指令が出されたときには、浴槽湯水温が設定接近温度未満の低い温度であったときに、低温液体循環モードでのゆっくりの追い焚きでは、利用者が入浴する時に浴槽湯水温が風呂設定温度に近い温度に達せずに低すぎる可能性があるが、浴槽湯水温が前記設定接近温度になるまでは迅速に追い焚きを行うことにより、利用者が入浴しようとしたときまでに浴槽湯水温を設定温度に近い温度まで高めて、快適な利用が行えるようにすることができるし、浴槽湯水温が設定接近温度になってからは、ゆっくりと追い焚きを行うことにより、高めの温度の湯が追い焚き循環路から浴槽に導出されることを防ぐこともできる。
【００３８】
さらに、暖房用液体循環通路には予め定められる高温暖房設定温度の液体が供給される高温暖房装置が接続され、追い焚き時液体循環モード切り替え手段は、前記高温暖房装置の運転中には高温液体循環モードとして液体を循環させるようにすることにより、高温暖房装置が接続されている場合には、例えば保温モードの機能の動作における追い焚き時など、入浴者がいないと判断されるときでも、高温液体循環モードによる液体循環によって、高温暖房装置の運転を的確に行うことができる。
【図面の簡単な説明】
【００３９】
【図１】本発明に係る熱源装置の一実施例の制御構成を示すブロック図である。
【図２】熱源装置のシステム構成例と、その動作例を模式的に示す説明図である。
【発明を実施するための形態】
【００４０】
以下、本発明の実施の形態を図面に基づき説明する。なお、本実施例の説明において、これまでの説明の構成要素と同一名称部分には同一符号を付し、その重複説明は省略または簡略化する。
【実施例】
【００４１】
本実施例の熱源装置のシステム構成は、図２に示した熱源装置と同様に構成されており、本実施例の特徴的なことは、図１に示す制御構成を設けて、浴槽湯水の追い焚き時の動作を制御する構成としたことである。熱源装置の制御手段６０は、人入浴検知手段６２、入浴者有無判断手段６３、追い焚き時液体循環モード切り替え手段６４、燃焼制御手段６５を有し、浴室配置の風呂リモコン装置１と台所配置の台所リモコン装置２に接続されている。
【００４２】
燃焼制御手段６５は、前記のような、各機能の運転動作に際し、その燃焼制御を行う手段であり、水位センサ２２、風呂温度センサ２１、風呂水流スイッチ３４等の検出信号に基づき、浴槽湯水循環ポンプ２０、液体循環ポンプ６、低温能力切替熱動弁４７、ガス比例弁８６、ガス開閉弁８１，８２、燃焼ファン１８等の制御を行う。
【００４３】
人入浴検知手段６２は、水位センサ２２の検出水位に基づいて浴槽２７に人が入浴していることを検知する。具体的には、例えば水位の変動の基準値を予め与えておき、水位センサ２２の検出水位の変動がこの基準値以上あったときには、人が入浴したと判断することができる。なお、この判断方法は、適宜設定される。人入浴検知手段６２は、人の検知が行われると、その検知信号を入浴者有無判断手段６３に加える。
【００４４】
入浴者有無判断手段６３は、浴槽湯水の追い焚き時に、入浴者がいるかどうかの判断を行う手段であり、人入浴検知手段６２によって浴槽２７への人の入浴が検知されているとき、つまり、人入浴検知手段６２による人の検知信号が入浴者有無判断手段６３に加えられているときには入浴者がいると判断し、人入浴検知手段６２によって浴槽２７への人の入浴が検知されていないときには入浴者がいないと判断する。また、入浴者有無判断手段６３は、風呂リモコン装置１によって浴槽湯水の追い焚き指令が出されたとき（例えば風呂リモコン装置１の追い焚きスイッチがオンされたとき）には入浴者がいると判断し、台所リモコン装置２によって浴槽湯水の追い焚き指令が出されたとき（例えば台所リモコン装置２の追い焚きスイッチがオンされたとき）には入浴者がいないと判断する。そして、これらの判断信号を追い焚き時液体循環モード切り替え手段６４に加える。
【００４５】
追い焚き時液体循環モード切り替え手段６４は、入浴者有無判断手段６３によって入浴者がいると判断されたときに浴槽湯水の追い焚きが行われるときには、高温液体循環モードで液体を循環させ、入浴者有無判断手段６３によって入浴者がいないと判断されたときに浴槽湯水の追い焚きが行われるときには、前記低温液体循環モードで液体を循環させるようにモード切り替えを行う。なお、追い焚き時液体循環モード切り替え手段６４は、高温暖房装置１０ａの運転中には、常に、高温液体循環モードとして液体を循環させるようにする。追い焚き時液体循環モード切り替え手段６４は、これらのモード切り替えに際し、燃焼制御手段６５にモード切り替え信号を加える。
【００４６】
燃焼制御手段６５は、追い焚き時液体循環モード切り替え手段６４からのモード切り替え信号を受けて、ガス比例弁８６やガス開閉弁８１，８２の開閉制御、燃焼ファン１８の回転駆動制御、低温能力切替熱動弁４７の開閉制御、液体循環ポンプ６の駆動制御等を行い、高温液体循環モードで液体を循環させるときには、暖房用液体循環通路５に通す液体を前記高温設定温度（例えば８０℃）として循環させ、低温液体循環モードで液体を循環させるときには、暖房用液体循環通路５に通す液体を予め定められる低温設定温度（例えば６０℃）として循環させる。そして、浴槽湯水循環ポンプ２０を駆動させ、風呂温度センサ２１の検出温度が風呂設定温度となるように、浴槽湯水の追い焚きを行うようにする。
【００４７】
なお、追い焚き時液体循環モード切り替え手段６４は、低温液体循環モードで液体を循環させたときに、風呂温度センサ２１による検出温度が予め定められる風呂設定温度よりも設定温度（例えば２℃）だけ低い設定接近温度未満であったときには高温液体循環モードに切り替えて液体を循環させ、風呂温度センサ２１による検出温度が前記設定接近温度に達するまで高温液体循環モードで液体を循環させた後に、低温液体循環モードに切り替えて液体を循環させる。
【００４８】
なお、本発明は、前記実施例に限定されるものでなく、適宜設定されるものである。例えば、前記実施例では、熱源装置に風呂リモコン装置１と台所リモコン装置２を接続したが、どちらか一方のみを接続してもよいし、居間に配置されるリモコン装置や洗面所に配置されるリモコン装置等を接続してもよい。なお、風呂リモコン装置１を接続しない場合は、台所リモコン装置２等に風呂の追い焚き操作機能等を設けるようにし、入浴者有無判断手段６３は、人入浴検知手段６２によって浴槽２７への人の入浴が検知されているか否かによって、浴槽湯水の追い焚き時に、入浴者がいるかどうかの判断を行うようにするとよい。
【００４９】
また、前記実施例では、追い焚き時液体循環モード切り替え手段６４は、低温液体循環モードで液体を循環させたときに、風呂温度センサ２１による検出温度が予め定められる風呂設定温度よりも設定温度（例えば２℃）だけ低い設定接近温度未満であったときには高温液体循環モードに切り替えて液体を循環させ、風呂温度センサ２１による検出温度が前記設定接近温度に達するまで高温液体循環モードで液体を循環させた後に、低温液体循環モードに切り替えて液体を循環させるようにしたが、このような制御は省略することもできる。
【００５０】
さらに、前記実施例では、給湯機能と風呂の追い焚き機能と暖房機能とを備えた複合装置としたが、給湯機能を有していない装置としてもよい。
【００５１】
さらに、本発明の熱源装置は、例えば前記実施例で設けたガス燃焼を行うバーナの代わりに、石油燃焼用のバーナを設けてもよいし、電熱ヒータを設けてもよい。また、暖房用液体循環通路５内に循環させる液体は、水とは限らず、例えば不凍液等の他の液体としてもよい。
【産業上の利用可能性】
【００５２】
本発明の熱源装置は、浴槽湯水の保温モード機能の動作時等の短時間追い焚き時の運転における熱エネルギーの無駄を少なくできるので、省エネ化が可能となり、例えば家庭用の熱源装置として利用できる。
【符号の説明】
【００５３】
１      風呂リモコン装置
２      台所リモコン装置
５      暖房用液体循環通路
６      液体循環ポンプ
７      液−液熱交換器
１０    暖房装置
１３    追い焚き循環通路
１６，１７  バーナ
２０    浴槽湯水循環ポンプ
２１    風呂温度センサ
２２    水位センサ
２８    暖房用熱交換器
３３    暖房高温サーミスタ
３６    暖房低温サーミスタ
６０    制御手段
６２    人入浴検知手段
６３    入浴者有無判断手段
６４    追い焚き時液体循環モード切り替え手段
６５    燃焼制御手段
【図１】
0005613039.tif 000002
【図２】
0005613039.tif 000003